(57)【特許請求の範囲】
【請求項１】
自転車のハンドル部又は後部荷台部に固定されたチャイルドシートにチャイルドシートカバーを装着する際に使用する装着補助具であって、
チャイルドシート側に装着される装着部材と、この装着部材に係着される高さ維持部材との２つの部材から構成され、
前記装着部材は、チャイルドシートのヘッドレストの外面側に接合される形態を有し、その両端部にはヘッドレストの両端端部と相互に係着される装着部を有してヘッドレストに装着され、その外面側には前記高さ維持部材と係着できる係着部が設けられ、
前記高さ維持部材は、チャイルドシートのヘッドレストの外形形状に沿うように後方側に位置する後方部と両側に位置する側方部を有し、前記装着部材の外面側の係着部に相互に係着される係着部がその高さ維持部材の後方部及び／又は側方部の内面側に設けられて前記装着部材の係着部に係着され、
これにより前記高さ維持部材の後方部及び両側方部がヘッドレストの上端縁部から上方に起立した状態に係着され、
この状態でチャイルドシートカバーを被覆することにより、チャイルドシートカバーの天部がチャイルドシートのヘッドレストの上端縁部から所定間隔を維持してチャイルドシートに装着されることを特徴とする自転車用チャイルドシートカバーの装着補助具。
【請求項２】
前記装着部材がその両端部に位置する前記装着部と、これら両装着部を連結する連結部とからなり、
前記装着部材の外面側の係着部は、前記連結部の外面側に設けられ、
前記装着部は、チャイルドシートのヘッドレストの両端部を内部に収納できる袋状のものから形成され、
これら袋状の装着部をチャイルドシートのヘッドレストの両端部に被覆するように取り付けることにより装着できることを特徴とする請求項１に記載の自転車用チャイルドシートカバーの装着補助具。
【請求項３】
前記連結部が１枚の伸縮自在のシート状のシート状部又は１対の伸縮自在の帯状部から成り、これら伸縮自在の連結部の収縮力により前記装着部材がチャイルドシートのヘッドレストに固着されることを特徴とする請求項２に記載の自転車用チャイルドシートカバーの装着補助具。
【請求項４】
前記装着部材の両端の袋状に形成された両装着部が伸縮自在の生地から形成され、これら両装着部をヘッドレストの両端部に被覆することにより装着部材がヘッドレストに装着されて固着されることを特徴とする請求項２に記載の自転車用チャイルドシートカバーの装着補助具。
【請求項５】
前記装着部材の両端の装着部を連結する分離結合可能な連結固定ベルトを更に付加したことを特徴とする請求項２乃至４の何れか１項に記載の自転車用チャイルドシートカバーの装着補助具。
【請求項６】
前記高さ維持部材の後方部の略中央部分を切り欠いて左右対称の２つの部分に分離し、これら２つの部分を相互に連結する横方向帯状部材を上下に少なくとも２本設け、且つ、この帯状部材の内面側に前記装着部材の外面側の係着部と係着する係着部を設けたことを特徴とする請求項１乃至５の何れか１項に記載の自転車用チャイルドシートカバーの装着補助具。
【請求項７】
前面部、両側面部、天部、及び背面部から成る底面開口のボックス形状を有して自転車用チャイルドシートの全体を被覆でき、その適宜位置の縦方向に開閉自在の開口部を設けた自転車用チャイルドシートカバーにおいて、
請求項１乃至６の何れか１項に記載の前記高さ維持部材を前記チャイルドシートカバーの両側面部及び背面部の上端部分に配設して当該チャイルドシートカバーと一体化したことを特徴とする自転車用チャイルドシートカバー。
【請求項８】
請求項１乃至５に記載の自転車用チャイルドシートカバーの装着補助具を構成する装着部材であって、
チャイルドシートのヘッドレストの外面側に接合される形態を有し、その両端部はヘッドレストの両端端部と相互に係着されてヘッドレストに固着され、その外面側には前記高さ維持部材と係着できる係着部が設けられていることを特徴とする自転車用チャイルドシートカバーの装着部材。
【発明の詳細な説明】
【技術分野】
【０００１】
本発明は、自転車のハンドル部に固定された前部チャイルドシート又は自転車の後部荷台部に固定された後部チャイルドシートのほぼ全体を被覆することができるチャイルドシートカバー及びこのカバーを前記シートに装着する際に使用する装着補助具に関するものである。
この装着補助具は、前記チャイルドシートに装着固定して、前記チャイルドシートカバーの装着を補助するための物品である。
【背景技術】
【０００２】
まず、本願発明は、上記した通り、前部チャイルドシート又は後部チャイルドシート（以下単に「シート」という。）の略全体を被覆できるチャイルドシートカバー（以下単に「カバー」という。）及びこのカバーを前記シートに被覆する際に使用する装着補助具に関するものである。
【０００３】
上記シートとしては、現在良く知られているように、前部チャイルドシートにあっては、その座部が自転車のハンドル部中央の略Ｕ字形状に湾曲した部分に固定され、座部の前方には開閉自在で使用時に下方に開放される足乗せ部が設けられ、その背面部である背凭れ部には上下に摺動可能なヘッドレスト（ヘッドサポートともいう。）が設けられた形態を有するものである。
或いは、通常のハンドル形態のものに着脱自在に取り付けることができ、背凭れ部上縁部にはヘッドレストが設けられた大型のものも存在する。
【０００４】
他方、後部チャイルドシートにあっては、その座部は自転車の後部荷台部に固定され、足乗せ部は自転車の後輪の両側に配設され、座部の背面部である背凭れ部にはやはり上下に摺動可能なヘッドレストが設けられた形態を有するものである。
勿論、このシートとしては、上記ヘッドレストが上下に摺動しない固定式のタイプのものも存在する。
【０００５】
これらの前後のシートには、その座部の底面部を除く略全体を被覆することができる各種形態のチャイルドシートカバーが市販されている。
下記特許文献１に記載の発明は、後部チャイルドシートカバーに関するものであり、カバー内部の温度上昇及び蒸し暑さを低減させることを目的としたものである。
【０００６】
その構成は、自転車の後部荷台に固定したチャイルドシートの全体を被覆できる底面開口のボックス形状を有し、前面部に透明部を設け、前面部と一方の側面部の境界線部にスライドファスナーを設け、両側面部の前面部側にはそれぞれ外気導入口を設け、背面部には排気口を設けている。更に、前面部の下方部分に横方向の全体にスライドファスナーの開閉による第２外気導入口を設けたものである。
【０００７】
下記特許文献２に記載の発明は、幼児が着席した使用状態であっても、幼児と共にその全体を被覆できる前部チャイルドシートカバーである。
その構成は、カバー本体部がシートの全体を被覆でき、上面開口部に開閉自在の閉鎖シート部材を設け、更に、前記本体部に開閉カバー部材を着脱自在に連結したものから成る。この開閉カバー部材は透明の前面部を有し、その前方側面部である連結部の内側の係着部を本体部の係止具受部に係着することにより相互に連結できる。これにより本体部の閉鎖シート部材を巻回して開放し、この閉鎖シート部材を集束部材によって括り留めた状態で幼児をチャイルドシートに着席させ、開閉カバー部材の背面部をチャイルドシートの伸張したヘッドレストの上縁部に引っ掛けるように被覆することができるものである。
【０００８】
この前部チャイルドシートカバーにおいては、上面開口部を閉鎖する閉鎖シート部材を無くして構成することもでき、その際は、開閉カバー部材を常時その前端部で本体部に連結しておけばよいものである。
【０００９】
上記従来の前後何れのチャイルドシートカバーにおいても、その透明の前面部には窓部が設けられていないが、現在市販されているものは、この前面透明部分に上方に捲り上げることができる窓部が形成されているものが存在する。
【００１０】
このように窓部を前面部に設けたのは、チャイルドシートカバーをシートに装着した状態で、雨が上った際に、カバーを外す手間を無くし、カバー内部に外気を導入させ、内部の温度上昇を低減させるためである。
通常、このようなチャイルドシートカバーは、降雨時に使用するためのものとして開発されたのであるが、一旦これをシートに装着してしまうと、これを取り外す手間が掛り、カバーを装着したままで使用するということが常態と成って来たのである。
【００１１】
従って、降雨時以外でもそのまま快適に使用できるようにするために、カバー前面部に大きな窓部が形成され、これを捲り上げて開放できるものが一般的になったのである。
本発明においては、この種の窓部が形成されたチャイルドシートカバーにも適用することができるものである。
【先行技術文献】
【特許文献】
【００１２】
【特許文献１】特開２０１４−２８６１７号公報
【特許文献２】特開２０１４−３７２３６号公報
【発明の概要】
【発明が解決しようとする課題】
【００１３】
本発明においても、上記従来のチャイルドシートカバーと同様に、これを装着したままの状態で、自転車の不使用時は勿論のこと、雨天、強風又は寒冷時、若しくは晴天時のどのような天候の際にも、幼児を乗せて使用することができるカバーに適用可能なものである。
【００１４】
そして、本発明においては、カバーを装着するシートには各種のタイプが存在するため、つまり前部又は後部チャイルドシートにおいては、これに設けられたヘッドレスト（ヘッドサポート）が別体型（上下摺動可能型）のものもあれば、一体型（上下摺動不可）のものもあり、これら市販されているどのようなタイプのものにも取り付けられる装着補助具を提供することをその第一の課題としている。
【００１５】
更に、本発明においては、チャイルドシートに幼児を腰掛けさせた際に、その幼児の頭頂部ができる限りカバーの天部に接触しないようにすること、仮に接触しても幼児の頭頂部にカバーの重みがあまり掛らないようにチャイルドシートカバーを適宜高さ位置で装着できるようにし、且つカバーの形状を安定化させることができるような装着補助具を提供することをその課題としている。
換言すれば、腰掛けた幼児の頭頂部の空間を一定に保持できるようにすることを最大の課題としている。
【００１６】
このようにすることにより、シートに腰掛けた幼児の頭頂部の圧迫が減少し、カバー内での居住環境が非常に良くなるのである。
更に、本発明においては、幼児の座高も高低様々であり、これに対応できるようにすることもその課題となる。
尚、本発明においては、上記装着補助具の一部がカバーに一体化されたものをも考慮に入れて開発を進めた。
【課題を解決するための手段】
【００１７】
上記課題を解決するために、本発明の第１のものは、自転車のハンドル部又は後部荷台部に固定されたチャイルドシートにチャイルドシートカバーを装着する際に使用する装着補助具であって、チャイルドシート側に装着される装着部材と、この装着部材に係着される高さ維持部材との２つの部材から構成され、前記装着部材は、チャイルドシートのヘッドレストの外面側に接合される形態を有し、その両端部にはヘッドレストの両端端部と相互に係着される装着部を有してヘッドレストに装着され、その外面側には前記高さ維持部材と係着できる係着部が設けられ、前記高さ維持部材は、チャイルドシートのヘッドレストの外形形状に沿うように後方側に位置する後方部と両側に位置する側方部を有し、前記装着部材の外面側の係着部に相互に係着される係着部がその高さ維持部材の後方部及び／又は側方部の内面側に設けられて前記装着部材の係着部に係着され、これにより前記高さ維持部材の後方部及び両側方部がヘッドレストの上端縁部から上方に起立した状態に係着され、この状態でチャイルドシートカバーを被覆することにより、チャイルドシートカバーの天部がチャイルドシートのヘッドレストの上端縁部から所定間隔を維持してチャイルドシートに装着されることを特徴とする自転車用チャイルドシートカバーの装着補助具である。
【００１８】
本発明の第２のものは、上記第１の発明において、前記装着部材がその両端部に位置する前記装着部と、これら両装着部を連結する連結部とからなり、
前記装着部材の外面側の係着部は、前記連結部の外面側に設けられ、
前記装着部は、チャイルドシートのヘッドレストの両端部を内部に収納できる袋状のものから形成され、
これら袋状の装着部をチャイルドシートのヘッドレストの両端部に被覆するように取り付けることにより装着できることを特徴とする自転車用チャイルドシートカバーの装着補助具である。
【００１９】
本発明の第３のものは、上記第２の発明において、前記連結部が１枚の伸縮自在のシート状のシート状部又は１対の伸縮自在の帯状部から成り、これら伸縮自在の連結部の収縮力により前記装着部材がチャイルドシートのヘッドレストに固着されることを特徴とする自転車用チャイルドシートカバーの装着補助具である。
【００２０】
本発明の第４のものは、上記第２の発明において、前記装着部材の両端の袋状に形成された両装着部が伸縮自在の生地から形成され、これら両装着部をヘッドレストの両端部に被覆することにより装着部材がヘッドレストに装着されて固着されることを特徴とする自転車用チャイルドシートカバーの装着補助具である。
【００２１】
本発明の第５のものは、上記第２乃至第４のそれぞれの発明において、前記装着部材の両端の装着部を連結する分離結合可能な連結固定ベルトを更に付加したことを特徴とする自転車用チャイルドシートカバーの装着補助具である。
【００２２】
本発明の第６のものは、上記第１乃至第５のそれぞれの発明において、前記高さ維持部材の後方部の略中央部分を切り欠いて左右対称の２つの部分に分離し、これら２つの部分を相互に連結する横方向帯状部材を上下に少なくとも２本設け、且つ、この帯状部材の内面側に前記装着部材の外面側の係着部と係着する係着部を設けたことを特徴とする自転車用チャイルドシートカバーの装着補助具である。
【００２３】
本発明の第７のものは、前面部、両側面部、天部、及び背面部から成る底面開口のボックス形状を有して自転車用チャイルドシートの全体を被覆でき、その適宜位置の縦方向に開閉自在の開口部を設けた自転車用チャイルドシートカバーにおいて、上記第１の発明乃至第６の発明の何れかの発明に係る高さ維持部材を前記チャイルドシートカバーの両側面部及び背面部の上端部分に配設して当該チャイルドシートカバーと一体化したことを特徴とする自転車用チャイルドシートカバーである。
【００２４】
本発明の第８のものは、上記第１の発明乃至第５の発明のそれぞれに記載の自転車用チャイルドシートカバーの装着補助具を構成する装着部材であって、チャイルドシートのヘッドレストの外面側に接合される形態を有し、その両端部はヘッドレストの両端端部と相互に係着されてヘッドレストに固着され、その外面側には前記高さ維持部材と係着できる係着部が設けられていることを特徴とする自転車用チャイルドシートカバーの装着部材である。
【発明の効果】
【００２５】
本発明の第１のものにおいては、自転車に固定されたシートにカバーを装着する際に使用する装着補助具であって、この装着補助具は、シートに装着される装着部材と、この装着部材に係着される高さ維持部材とから成り、前記装着部材をシートのヘッドレストの外面側に接合して装着し、前記高さ維持部材を前記装着部材の外面側の係着部に係着することによって、この高さ維持部材の上方部分がヘッドレストの上端縁部から上方に起立した状態となり、カバーをシートに装着した際に、カバーの天部がシートのヘッドレストの上端縁部から所定間隔を維持して装着されるのである。
それ故、シートに着席する幼児の頭頂部に空間が十分に設けられることとなるのである。
【００２６】
本発明の第２のものにおいては、装着補助具の装着部材の構成をより限定したものである。
即ち、この装着部材がその両端部に位置する装着部と、これら両装着部を連結する連結部とから形成され、前記装着部材の外面側の係着部は、前記連結部の外面側に設けられ、前記装着部は、チャイルドシートの両端部を内部に収納できる袋状のものから形成されたものである。
【００２７】
これにより、上記袋状の両装着部の一方をチャイルドシートのヘッドレストの一方端部に被覆するように、つまり被せて引っ掛け、次に他方のヘッドレストの端部に他方の装着部を被覆するように、つまり被せて引っ掛けるようにして装着することができる。
このように装着部を袋状としたことにより、簡単にヘッドレストの両端部に被覆して装着することができることとなる。
【００２８】
こうして装着された装着部材に高さ維持部材を係着させて、この高さ維持部材を任意の高さ位置で装着部材に係着でき、その後装着されるカバーの高さを適宜変更し、調節して装着することができるのである。
従って、シートに腰掛ける幼児の座高に合わせて、カバーの天部高さを変更し、装着することができることとなる。つまり、カバーの天部の高さ位置を適宜設定・変更することができ、カバーの内部空間で、幼児の頭頂部がカバー天部に接触しないか、接触してもカバーの重みがもろに幼児の頭部に掛ることがなくなり、居住環境が向上することとなる。
【００２９】
本発明の第３のものにおいては、前記装着部材の中間部をより限定したものである。
即ち、この連結部を１枚の伸縮自在のシート状のシート状部から形成し、又は、１対の伸縮自在の帯状部から形成したものである。
これによって、これら伸縮自在の連結部の収縮力により前記装着部材がチャイルドシートのヘッドレストに固着されることとなる。
【００３０】
本発明の第４のものにおいては、前記装着部材の両端の袋状に形成された両装着部をより限定したものである。
即ち、これら両装着部を伸縮自在の生地から形成することにより、これら両装着部をヘッドレストの両端部に被覆する、つまり引っ掛けることにより両装着部の収縮力により装着部材がヘッドレストに簡単に装着され固着されることとなるのである
【００３１】
本発明の第５のものにおいては、上記第２乃至第４の発明において、前記装着部材の両端の装着部を連結する分離結合可能な連結固定ベルトを更に付加したものである。
この連結固定ベルトの存在により両端の装着部のヘッドレストへの固着がより確実なものとなり、仮に連結部の伸縮力が弱くなったとしても、この連結固定ベルトの存在により、より確実に装着部材はヘッドレストに固着されることとなる。
【００３２】
本発明の第６のものにおいては、前記高さ維持部材の構成をより限定したものであり、つまり、この高さ維持部材は、その後方部の略中央部分を切り欠いて２つの部分に分離し、これら２つの部分を相互に連結する横方向帯状部材で連結したことにより、この高さ維持部材は、その帯状部材の部分で簡単に２つ折りすることができ、不使用の際には、小さく畳んでしまって置くことができることとなる。
【００３３】
本発明の第７のものは、自転車用チャイルドシートカバーに関し、上記第１乃至第６の発明に記載した高さ維持部材をチャイルドシートカバーの両側面部及び背面部の上端部分に配設してカバーと一体化したものである。
本発明に係る装着補助具の内、高さ維持部材は、これをカバーの側に一体化して実施することも可能であり、この第７の発明において、これを特定したものである。
その効果は、上記発明と同じで、カバーの天部をヘッドレストの上端縁部から所定間隔を維持して装着することができることにある。
【００３４】
本発明の第８のものは、上記発明において特定されている装着補助具のうちの装着部材自体について特定したものである。
この装着補助具を構成する装着部材について権利請求する目的である。
【図面の簡単な説明】
【００３５】
【図１】本発明の一実施形態に係る装着補助具を用いてチャイルドシートカバーをチャイルドシートに装着した状態を示す全体説明図である。
【図２】本発明に係る装着補助具の他の実施形態を図示する分解説明図である。
【図３】上記図２に図示した実施形態に係る装着補助具をシートのヘッドレストに装着した状態を前方側から見た説明図である。
【図４】上記図３に示した実施形態に係る装着補助具をシートのヘッドレストに装着した状態を後方側から見た説明図である。
【図５】本発明に係る装着補助具の装着部材の他の実施形態を図示しており、その（Ａ）が背面図を示し、その（Ｂ）が正面図である。
【図６】本発明に係る装着補助具の装着部材の他の実施形態を図示しており、その（Ａ）が背面図を示し、その（Ｂ）が正面図である。
【発明を実施するための形態】
【００３６】
以下添付の図面と共に、本発明の実施形態について説明する。
図１は、本発明の一実施形態に係る装着補助具を用いてチャイルドシートカバーをチャイルドシートに装着した状態を示す全体説明図である。
尚、この図においては、本発明に係る装着補助具は、チャイルドシートＳのヘッドレストＨの外面側及びその上方部分に位置し、チャイルドシートカバーＣの上端部の内側に位置することとなる。
【００３７】
この図においては、先ず、本発明に係る装着補助具の概略について説明する。詳細は、図２以降を用いて説明する。
先ず、本発明に係る装着補助具１０は、現在市販されているあらゆるタイプのチャイルドシートに取り付けることができる。
即ち、図示した通り、自転車の後部荷台に固定された後部チャイルドシート、或いは、自転車のハンドル部に取り付けられている前部チャイルドシート（以下、単に「シート」という。）に取り付けてチャイルドシートカバー（以下、単に「カバー」という。）を装着することができる。
【００３８】
そして、各種シートには、背面部の上端にヘッドレスト（ヘッドサポート）が上下摺動可能に取り付けられたもの、或いは、摺動不可能のものも存在するが、それらの何れのタイプのものにも装着することができる。
図１においては、本発明に係る装着補助具１０の取り付け位置が見て取れるが、この装着補助具１０は、前方（サドル側）が開放された平面視略コ字形状を有し、シート上端部のヘッドレストＨの外周面に沿うように装着される。
【００３９】
この装着補助具１０は、装着部材１１と高さ維持部材１２とから形成される。
装着部材１１がシートＳのヘッドレストＨに装着され、この装着部材１１の外面側に高さ維持部材１２が係着される。
この高さ維持部材１２は、その後方側に位置する後方部１２ｕと、その両側に位置する側方部１２ｓ、１２ｓを有している。
後方部１２ｕの下方部には、装着部材１１が配置され、この装着部材１１がヘッドレストＨに装着され、この装着部材１１に高さ維持部材１２が係着されて装着補助具１０がヘッドレストＨに装着されるのである。
【００４０】
上記装着部材１１は、この図１では解り難いが、その両端部にポケット状の袋部１１ｆ、１１ｆが形成され、これら両端の袋部１１ｆをヘッドレストＨの両端端部に被覆して引っ掛けるようにして装着できる。
この装着部材１１の外面（背面）側には係着部が設けられ、上記高さ維持部材１２の後方部の下方部の内面側に設けられている係着部と相互に係着されて、この高さ維持部材１２を適宜高さ位置に係着させることができる。
【００４１】
これにより、高さ維持部材１２が装着部材１１に係着されると、この高さ維持部材１２の後方部１２ｕと両側方部１２ｓ、１２ｓの上方部分は、ヘッドレストＨの上端縁部から上方に延長し、起立した状態となるのである。
【００４２】
これにより、カバーＣを被覆すると、カバーＣの天部Ｔは、ヘッドレストＨの上端縁部から適宜間隔距離を保持して装着される。
これにより、シートに着席する幼児の頭頂部の空間が確保されることとなる。
尚、上記実施形態では、本発明に係る高さ維持部材を一体物として説明したが、図２以降で説明する通り、２つの構成部材によって形成することができる。
【００４３】
図２は、本発明に係る装着補助具の他の実施形態を図示する分解説明図である。
この図から良く解る通り、この実施形態に係る装着補助具１０は、上方に位置する高さ維持部材１２の形態が上記図１の実施形態と異なっている。
他方、装着部材１１は、上記図１の実施形態と同じである。
【００４４】
装着部材１１は、その両端部に位置する装着部１１ｓ、１１ｓと、これらの装着部１１ｓ、１１ｓを相互に連結する連結部１１ｒ、１１ｒと、固定部１８とからなる。
装着部１１ｓの端部には内部にヘッドレストＨの先端部を収納できるように袋形状に形成された袋部１１ｆが形成されている。
【００４５】
連結部１１ｒは、伸縮自在のゴム製の帯状部材から形成され、この連結部１１ｒは上下に２本、つまり一対配設され、両端の装着部１１ｓ、１１ｓを連結している。
この連結部１１ｒを伸縮自在の素材から形成することにより、この装着部材１１をヘッドレストＨに取り付ける際に便利なものとなる。
即ち、一方の装着部１１ｓの袋部１１ｆをヘッドレストＨの一方端部に被覆して引っ掛け、連結部１１ｒ、１１ｒを伸長させて、その後他方の装着部１１ｓの袋部１１ｆをヘッドレストＨの他方端部に被覆して引っ掛け、簡単に装着することができるからである。
【００４６】
この装着部材１１がヘッドレストＨの外面側に装着された後、最後に固定部１８により固定される。
即ち、この固定部１８は、その中央に結合分離自在のバックル１８ｂが設けられた結合分離自在の連結固定ベルトから形成されており、その両端部は装着部１１ｓ、１１ｓに固定されているため、装着部材１１がヘッドレストＨに装着された後、最後にこの連結固定ベルトからなる固定部１８を連結し引き締めて両装着部１１ｓ、１１ｓをヘッドレストＨにしっかりと装着することができるのである。
【００４７】
更に、上記連結部１１ｒ、１１ｒの外面（背面）側には、図には表れていないが、面ファスナーからなる係着部が設けられている。
同様に上記固定部１８の外側（背面）側にも面ファルナーからなる係着部を設けることも自由である。
これらの係着部は、後に説明する高さ維持部材１２の側に設けた係着部と相互に係着して高さ維持部材１２を適宜高さに係着するためのものである。
【００４８】
尚、この係着部は、上記のように連結部１１ｒや固定部１８の外面側でなく、装着部材１１の両端部の装着部１１ｓの中央側の縁部に設けて実施することもできる。
これは、装着部１１ｓの大きさや連結部１１ｒ及び固定部１８の長さにより適宜設計変更することができるからである。
【００４９】
他方、高さ維持部材１２は、平面視略コ字形状を有し、後方側に位置する後方部１４とその両側に位置する側方部１５、１５とから成る。
【００５０】
この実施形態では、図２に示した通り、後方部１４の略中央部が所定距離分だけ切り欠かれている。
図中１６が切欠部を示している。
この切欠部１６は、その上下で横方向帯状部材１７、１７によって連結されている。
【００５１】
この横方向帯状部材１７は、柔軟素材から成るベルト部材から成るため、左右に分割され、左右対称の高さ維持部材１２が簡単に折り畳み、重ね合わせることができる。
これにより、不使用時には小さく重ねて収納することもできることとなる。
【００５２】
そして、この高さ維持部材１２の後方部１４、１４の前面（内面）下方部には面ファスナーからなる係着部１４ｆ、１４ｆが設けられ、これらの係着部１４ｆ、１４ｆが前記装着部材１１の外面、即ち、連結部１１ｒ、１１ｒ、及び固定部１８の外面側、或いは、両端の装着部１１ｓの中央側縁部に設けた面ファスナーからなる係着部と相互に係着して次の図３のような状態にヘッドレストＨに装着されるのである。
【００５３】
尚ここで、装着部材１１の外面（背面）側に設ける係着部と、高さ維持部材１２の前面（内面）側に設ける係着部は、これら装着部材１１と高さ維持部材１２の接合する部分の何れかの部分に相互に設ければよいこととなる。
【００５４】
図３は、上記図２に図示した実施形態に係る装着補助具をシートのヘッドレストに装着した状態を前方側から見た説明図である。
このように、装着部材１１の両端の装着部１１ｓの袋部１１ｆをヘッドレストＨの両端部に装着し（被覆するように引っ掛けて）、連結固定ベルトからなる固定部１８により固定することができ、その後高さ維持部材１２を前記装着部材１１に係着することにより、高さ維持部材１２の後方部１４及び両側の側方部１５の上方部分がヘッドレストＨの上端縁部から上方に起立した状態に装着されるのである。
この状態で、シートＳにカバーを被覆することにより、カバーの天部はヘッドレストＨの上端縁部から所定間隔を維持して被覆されることとなる。
【００５５】
図４は、上記図３に示した実施形態に係る装着補助具をシートのヘッドレストに装着した状態を後方側から見た説明図である。
このように、装着部材１１をヘッドレストＨの外面側に接合して装着し、その後高さ維持部材１４を前記装着部材１１に面ファスナーから成る係着部によって相互に係着することにより、高さ維持部材１２の後方部１４及び両側の側方部１５の上方部分がヘッドレストＨの上端縁部から上方に起立した状態に装着されるのである。
【００５６】
勿論、図１で説明した通り、本発明に係る高さ維持部材１２は、上記図２及び図３で示した実施形態のように両側の２つの部分に分割するのではなく、これらを一つのものとして一体的なものとし形成することもできるのである。
【００５７】
その際には、横方向帯状部材１７を無くして、一体的なものとして一体成形物として製作することができる。
即ち、一体的なものとしては、単に後方部とその両側の側方部とからなり、前記後方部の前面（内面）下方部に装着部材と相互に係着する係着部を設ければよいのである。
但し、このような一体物にあっては、その中央部で簡単に折り畳むことができないものとなる。
【００５８】
図５は、本発明に係る装着補助具の装着部材の他の実施形態を図示しており、その（Ａ）が背面図を示し、その（Ｂ）が正面図である。
ここに図示した装着部材１１は、上記実施形態に係る装着部材に係着部材１１ｋを更に付加したものである。
【００５９】
この係着部材１１ｋ以外の構成は、上記実施形態に係る装着部材１１とほぼ同じである。
即ち、この装着部材１１は、その両端部にある装着部１１ｓ、１１ｓと、これらを連結する横方向上下２本の伸縮自在のゴム製帯状部材からなる連結部１１ｒ、１１ｒと、その中央横方向に設けた連結固定ベルトからなる固定部１８とから成り、更に、これら連結部１１ｒと固定部１８に交差するように上下方向に２つの係着部材１１ｋ、１１ｋを設けたものである。
【００６０】
この係着部材１１ｋは、その背面（外面）側には面ファスナー１１ｍが設けられ、その前面（内面）側には連結部１１ｒ及び固定部１８を挿通できる挿通部１１ｔが設けられたものである。
この係着部材１１ｋの面ファスナー１１ｍ（係着部）が高さ維持部材の後方部の下方前面（内面）に設けた係着部と相互に係着することができる。
【００６１】
両端部の両係着部１１ｓの先端にはそれぞれ袋部１１ｆが設けられており、この袋部１１ｆがヘッドレストの両端部に装着される。
また、この実施形態では、装着部１１ｓの背面（外面）の略中央横方向に面ファスナー１１ｎを設けているが、この面ファスナー１１ｎも高さ維持部材の前面（内面）側に設けた係着部と相互に係着できるように形成しているものである。
尚、図５（Ａ）において、連結部１１ｒ及び固定部１８の外面（背面）（図中斜線で示している部分）に面ファスナーを設けるのも自由である。
【００６２】
図６は、前図と同様に、本発明に係る装着補助具の装着部材の他の実施形態を図示しており、その（Ａ）が背面図を示し、その（Ｂ）が正面図である。
ここに図示した係着部材１１も、上記図４までに示した実施形態に係る装着部材に係着部材２１を付加したものである。
【００６３】
即ち、この係着部材２１は、装着部材１１とは別体に形成し、中央に位置する係着部２１ｋとその背面横方向に挿通する帯状ベルト２１ｂとから成り、係着部２１ｋの背面（外面）側には係着部としての面ファスナー２１ｍが設けられており、この面ファスナー２１ｍが高さ維持部材の内面側に設けられている係着部と相互に係着できる。
【００６４】
上記帯状ベルト２１ｂの両端部にはそれぞれバックル２１ｒ、２１ｒが設けられ、これらのバックル２１ｒ、２１ｒと相互に連結されるバックル受部２１ｓ、２１ｓが装着部材１１の両端部の装着部１１ｓ、１１ｓに設けられている。
これにより、この係着部材２１を装着部材１１の背面（外面）側に装着することができ、この係着部材２１の背面（外面）側の面ファスナー２１ｍが高さ維持部材の係着部と相互に係着して所定高さ位置にこの高さ維持部材を係着させることができる。
この係着部材１１のその他の構成は、前記図４までに示した実施形態と同じ構成である。
【００６５】
以上、本発明の実施形態について説明したが、本発明においては以下の通りその形態を種々設計変更して実施することができる。
先ず、ヘッドレストに装着される装着部材に関しては、上記実施形態では、両端部の装着部とこれらを連結する連結部とから構成したが、これら全体を一体的なものから形成することも当然に可能である。
つまり、その全体をヘッドレストの外面側に接合可能な幅を有する帯状のものから形成し、その両端部に袋状の係着部が形成されたものであればよいのである。
【００６６】
連結部は、上記実施形態では上下一対の伸縮自在の帯状部から形成したが、これを帯状のものでなく、１枚のシート状体のものから形成することもできる。
更には、この連結部に伸縮性を持たない素材からなるものを使用して、両端部の装着部に伸縮性を有する素材を用いることによって装着部材をヘッドレストに装着させることも可能である。
この伸縮性を両端の装着部に付加した場合には、連結部を硬質の素材から形成することも可能である。
【００６７】
そして、連結固定ベルトからなる固定部は、任意的な構成要素であり、これを設けることにより両端部の装着部の装着がより堅固となるものである。
装着部材の背面（外面）側に設けた係着部も、上述した通り、連結部や固定部の背面（外面）側に設けることもできるし、両端の装着部の中央部寄りの縁部に設けることも可能である。
【００６８】
また、この係着部は、図５及び図６に図示した通り、別体としての係着部材を装着部材の背面（外面）側に、つまり、連結部や両端の装着部に着脱自在に設けることもできる。
他方、上記装着部材に係着される高さ維持部材は、これを一体的に形成することも、その中間部を切り欠いて横方向帯状部材で連結して形成することもできる。
勿論、この帯状部材でなく、1枚のシート状部材によってその中間部を形成することもできる。
【００６９】
上記装着部材及び高さ維持部材のサイズや形態は、適宜シートのヘッドレストの大きさや形態に適合するように設計することができる。
最後に、上記高さ維持部材は、チャイルドシートカバーの側に一体的に形成することもできる。
即ち、この高さ維持部材をチャイルドシートカバーの上端部の両側面部と背面部の内側に一体的に接合して縫製して形成することも可能である。
【００７０】
この高さ維持部材の素材も適宜自由に選択することができ、内部にベルポーレン等の可撓性を有する合成樹脂製板材を内装し、外部を他の素材から成る生地やシート材で被覆したものであってもよいし、単に１枚の弾性又は可撓性を有する板状のものを利用してもよい。
【００７１】
以上、本発明は、自転車の前部又は後部チャイルドシートに被覆して使用するチャイルドシートカバーを前記シートに装着する際に使用する装着補助具であって、この装着補助具をシートのヘッドレストの外面側に装着することによって、適宜高さ位置に高さ維持部材を係着出来、この高さ維持部材の後方部及び両側方部の上方部分がヘッドレストの上端縁部から上方に起立した状態となり、これにカバーを被覆することにより、カバーの天部がヘッドレストの上端縁部から所定間隔を維持して装着され、カバー内部に着席する幼児の頭部の空間を広く設けることができる装着補助具等を提供することができたものである。
【符号の説明】
【００７２】
１０、２０  装着補助具
１１  装着部材
１１ｆ  袋部
１１ｋ  係着部材
１１ｍ  係着部
１１ｎ  面ファスナー
１１ｒ  連結部
１１ｓ  装着部
１２  高さ維持部材
１２ｕ  後方部
１２ｓ  側方部
１４  後方部
１４ｆ  係着部
１５  側方部
１６  切欠部
１７  横方向帯状部材
１８  固定部
１８ｂ  バックル
２１  係着部材
２１ｂ  帯状ベルト
２１ｋ  係着部
２１ｍ  面ファスナー
２１ｒ  バックル
２１ｓ  バックル受け
Ｃ  チャイルドシートカバー
Ｈ  ヘッドレスト
Ｓ  チャイルドシート
【図１】
0006659437.tif 000002
【図２】
0006659437.tif 000003
【図３】
0006659437.tif 000004
【図４】
0006659437.tif 000005
【図５】
0006659437.tif 000006
【図６】
0006659437.tif 000007